(57)【要約】本発明は、脱毛装置に係わる。本発明の脱毛装置（１０）は、毛引抜き組立体（２０９〜２１２）と、振動組立体（２０８，２１７）と、駆動部組立体（２０２〜２０７，２１６）と、ハウジング（２０１，２１３）を含んでいる。毛引抜き組立体（２０９〜２１２）は、回転しながら毛を除去する少なくとも２つのグループのディスク組立体（２１１，２１２）を含んでいる。ディスク組立体（２１１，２１２）は、少なくとも２列に配置されている。一方の列に配置されたディスク組立体は、他方の列に配置されたディスク組立体に対して反対方向に回転する。毛引抜き組立体（２０９〜２１２）が毛を除去するとき、振動組立体（２０８，２１７）が振動して、除毛域をマッサージし、除毛に伴う不快感を最小限に抑える。脱毛装置は、除毛域を照明する照明機構を更に有するのが良い。
2004516125.tif 000002
【特許請求の範囲】
【請求項１】
（ａ）ハウジングと、（ｂ）少なくとも２列に配置された少なくとも２つのグループのディスク組立体を有し且つ前記ハウジング内に取付けられた毛引抜き組立体と、を有し、一方の列に配置された前記ディスク組立体は、他方の列に配置されたディスク組立体に対して反対方向に回転することを特徴とする脱毛装置。
【請求項２】
脱毛域を照明する照明機構を更に有する請求項１に記載の脱毛装置。
【請求項３】
前記照明機構は光源を有する請求項２に記載の脱毛装置。
【請求項４】
前記光源は白熱電球である請求項３に記載の脱毛装置。
【請求項５】
前記光源は発光ダイオードである請求項３に記載の脱毛装置。
【請求項６】
前記光源は、脱毛域をより良く照明するように毛引抜き組立体の近くに配置される、請求項３に記載の脱毛装置。
【請求項７】
前記光源は、光を脱毛域により良好に差し向けるような角度の向きに配置されている、請求項３に記載の脱毛装置。
【請求項８】
前記照明機構は、それに電力を供給する電池を収納する電池ハウジングを更に有する請求項２に記載の脱毛装置。
【請求項９】
前記照明機構は、それに供給される電力を前記脱毛装置から取り入れる請求項２の脱毛装置。
【請求項１０】
前記照明機構は、前記脱毛装置に対して取外し可能である請求項２の脱毛装置。
【請求項１１】
（ａ）ハウジングと、（ｂ）少なくとも２列に配置された少なくとも２つのグループのディスク組立体を有し且つ前記ハウジング内に取付けられた毛引抜き組立体であって、一方の列に配置された前記ディスク組立体が他方の列に配置されたディスク組立体に対して反対方向に回転する毛引抜き組立体と、（ｃ）前記ハウジング内に取付けられた振動組立体と、を有することを特徴とする脱毛装置。
【請求項１２】
照明機構を更に有する請求項１１に記載の脱毛装置。
【請求項１３】
前記照明機構は光源を有する請求項１２に記載の脱毛装置。
【請求項１４】
前記光源は白熱電球である請求項１３に記載の脱毛装置。
【請求項１５】
前記光源は発光ダイオードである請求項１３に記載の脱毛装置。
【請求項１６】
前記光源は、脱毛域をより良く照明するように毛引抜き組立体の近くに配置されている請求項１３に記載の脱毛装置。
【請求項１７】
前記光源は、光を脱毛域により良好に差し向ける角度の向きに配置されている請求項１３に記載の脱毛装置。
【請求項１８】
前記照明機構は、それに電力を供給する電池を収納する電池ハウジングを更に有する請求項１２に記載の脱毛装置。
【請求項１９】
前記照明機構は、それに供給される電力を前記脱毛装置から取り入れる請求項１２に記載の脱毛装置。
【請求項２０】
前記照明機構は、前記脱毛装置に対して取外し可能である請求項１２に記載の脱毛装置。
【請求項２１】
（ａ）ハウジングと、（ｂ）前記ハウジング内に取付けられた毛引抜き組立体と、（ｃ）前記ハウジングに取付けられた照明機構と、を有することを特徴とする脱毛装置。
【請求項２２】
前記照明機構は光源を有する請求項２１に記載の脱毛装置。
【請求項２３】
前記光源は白熱電球である請求項２２に記載の脱毛装置。
【請求項２４】
前記光源は発光ダイオードである請求項２２に記載の脱毛装置。
【請求項２５】
前記光源は、脱毛域をより良く照明するように毛引抜き組立体の近くに配置されている請求項２２に記載の脱毛装置。
【請求項２６】
前記光源は、光を脱毛域により良好に差し向ける角度の向きに配置されている請求項２２の脱毛装置。
【請求項２７】
前記照明機構は、それに電力を供給する電池を収納する電池ハウジングを更に有する請求項２１に記載の脱毛装置。
【請求項２８】
前記照明機構は、それに供給される電力を前記脱毛装置から取り入れる請求項２１に記載の脱毛装置。
【請求項２９】
前記照明機構は、前記脱毛装置に対して取外し可能である請求項２１に記載の脱毛装置。
【請求項３０】
（ａ）ハウジングと、（ｂ）前記ハウジング内に取付けられた脱毛組立体と、（ｃ） 前記ハウジングに取付けられた照明機構と、を有し、前記照明機構は、前記ハウジングに対して取外し可能であることを特徴とする脱毛装置。
【請求項３１】
前記照明機構は光源を有する請求項３０に記載の脱毛装置。
【請求項３２】
前記光源は白熱電球である請求項３１に記載の脱毛装置。
【請求項３３】
前記光源は発光ダイオードである請求項３１に記載の脱毛装置。
【請求項３４】
前記光源は、より良好に脱毛域を照明するように毛引抜き組立体の近くに配置されている請求項３１に記載の脱毛装置。
【請求項３５】
前記光源は、光を脱毛域により良好に差し向ける角度の向きに配置されている請求項３１に記載の脱毛装置。
【請求項３６】
前記照明機構は、それに電力を供給する電池を収納する電池ハウジングを更に有する請求項３０に記載の脱毛装置。
【請求項３７】
前記照明機構は、それに供給される電力を前記脱毛装置から取り入れる請求項３０に記載の脱毛装置。
【発明の詳細な説明】
【０００１】
本願は、それ自体が１９９８年７月９日に出願され、１９９９年１１月２日に米国特許第５，９７６，１５７号として発行された一部継続出願通し番号０９／１１２，９７１番であり、また、それ自体が１９９９年２月９日に出願され、２０００年９月２６日に米国特許第６，１２３，７１３号として発行された一部継続出願通し番号０９／２４６，４５４番である、２０００年９月２６日に出願された一部継続出願通し番号０９／６６９，３７８番である。
【０００２】
〔技術分野〕
本発明は、概略的には、不要な毛を除去する脱毛装置に関し、より詳細には、不要な毛を捕捉してそれらを根こそぎにすると同時に、脱毛に伴う不快感を減らすために脱毛域をマッサージする脱毛装置に関する。
【０００３】
〔発明の背景〕
望ましい肉体的な外観を維持するために不要な毛を除去する要求が存在する。不要な毛を除去するのに有用な多くの装置、たとえば、カミソリ、毛抜きその他の脱毛装置が、この分野では知られている。カミソリは、迅速かつ容易な脱毛を行えるが、毛が、皮膚の表面に見えた状態で残ることがあり、また、これは急速に再成長する。従って、頻繁に毛を剃って、滑らかな皮膚及び所望の外観を維持しなければならない。
【０００４】
他方、毛抜きは、単に毛を切るのではなく、毛を根こそぎにして除去するので、カミソリよりも長期間にわたって脱毛効果を得ることができる。しかしながら、伝統的な毛抜きが一度に１本の毛しか除去できず、また、通常は小さい２つの対向した面の間に毛を配置して把持するために毛抜きの精密な取扱いを必要とするので、毛抜きによる毛の除去は単調で退屈な作業になる。更に、毛をうっかり毛根よりも上方で破断させてしまい、毛根が残ることがないように注意しなければならない。
【０００５】
この分野で知られている他の脱毛装置としては、ドレフ（Ｄｏｌｅｖ）に付与された米国特許第５，２８１，２３３号（「ドレフ特許」）に記載されている脱毛装置がある。このドレフの脱毛装置は、簡単に言えば、ハウジングと、このハウジング内に回転自在に取付けられた毛引抜き組立体とを含む。この毛引抜き組立体は、少なくとも１つのディスク組立体を含み、このディスク組立体は、（ｉ）一対の相補的なディスクであって、各ディスクが、平らな周囲部分で終わっている少なくとも３つの半径方向に延びるアームを有し、これらのアームが、他方のディスクにあるアームの対応する平らな周囲部分に向かって押しつけられたときに、毛用のトラップを形成するようになっている一対の相補的なディスクと、（ｉｉ）これらのディスク対を収容し、回転させるハブであって、ディスクの平らな周囲部分を交互に寄せ集めてトラップを形成し、除去しようとしている毛を把持し、次いで押し広げて除去した毛を排出させるようになっているハブとを含む。しかしながら、ドレフの脱毛装置は、１列のディスク組立体しか含んでおらず、一度に除去できる毛の数が限られている。更に、脱毛作業をユーザにとってより快適にするいかなる機構も有していない。
【０００６】
従って、従来装置と同様、組み立て及び保守が容易で安価であるが、それと同時に、現在よりも大きな脱毛域からより多くの毛を容易に根こそぎにできる脱毛装置の要望がある。加えて、脱毛に伴う不快感を減らす脱毛装置の要望も継続してある。
【０００７】
〔発明の概要〕
本発明によれば、前述の及びその他の目的及び利点は、ハウジングと毛引抜き組立体とを有する脱毛装置によって達成される。好ましい実施形態では、脱毛組立体は、ハウジング内に取付けられた少なくとも２つのグループのディスク組立体を含む。これらのディスク組立体は、少なくとも２列に配置され、これらの列は、互いに隣接し且つ／又は平行であるのが良い。１つの列に配置されているディスク組立体は、互いに対して回転方向に固定されるのが良く、一定速度で一緒に回転されるのが良い。加えて、一方の列に配置されたディスク組立体は、他の列に配置されたディスク組立体に対して反対方向に回転するのが良い。
【０００８】
ディスク組立体はまた、互いに同一であるのが良い。各ディスク組立体は、１つの内側ディスク組立体と一対の外側ディスクとを含んでいるのが良い。各内側ディスクは、挿入ディスクを有しているのが良く、挿入ディスクは、少なくとも１つのアームを有し、ディスクキャリアに取付けられているのが良い。各外側ディスクも、少なくとも１つのアームを有しているのが良く、内側ディスク組立体に取付けられているのが良い。各外側ディスクのアームは、毛用の捕捉部、即ち、トラップを形成するように、内側ディスクのアームに押付けられているのが良い。
【０００９】
ディスクキャリアは、更に、一対の外側ディスクの各々にある少なくとも１つのアームに係合するための少なくとも１つのＵ字形部材を含んでいるのが良く、その結果、内部構造体の軸線まわりの回転時、Ｕ字形部材は回転運動を一対の外側ディスクに与える。ディスクキャリアは、更に、少なくとも一対のピンチャを有し、一対のピンチャは、少なくとも１つの隣接したディスクキャリアにクランプ力を与えるために、少なくとも１つのＵ字形部材から一対の外側ディスクの各々にあるアームの平面を越えて軸線方向に延びている。ディスクキャリアは、更に、少なくとも１つの隣接したディスクキャリアに係合するための係合手段を含んでいるのが良く、その結果、一方のディスクキャリアの回転運動は、少なくとも１つの隣接したディスクキャリアに回転運動を与える。係合手段は、係合突起部及び係合凹部を有し、係合突起部及び係合凹部は、それに対応する少なくとも１つの隣接したディスクキャリアの突起部及び凹部に係合するようになっている。最後に、ディスク組立体は、２つの軸に回転可能に取付けられているのが良い。軸は、更に、ディスク組立体が一定の傾斜角度で取付けられるように湾曲しているのが良い。
【００１０】
脱毛装置は、更に、光源を含む照明機構を含んでいるのが良い。好ましくは、光源は、より良好な照明を行うために脱毛域付近に設置された白熱電球又は発光ダイオードである。加えて、光源は、脱毛域をより良好に照らす角度の向きに配置されるのが良い。照明機構は、更に、光源に電力を供給するための電池を収納する電池ハウジングを含んでいるのが良い。変形例では、照明機構は、光源に電力を供給するために、電力を脱毛装置から取り入れても良い。照明機構は、脱毛装置から取外し可能であるのが良い。
【００１１】
本発明の別の好ましい実施形態によれば、脱毛装置は、ハウジングと、毛引抜き組立体と、ハウジング内に取付けられた振動組立体とを有する。振動組立体は、脱毛域をマッサージする振動要素を含んでいるのが良い。振動要素は、偏心シリンダに回転可能に取付けられ、一定速度で振動するのが良い。
【００１２】
ハウジングは、毛引抜き組立体及び振動組立体をハウジングに取付けるためのブラケットを有しているのが良い。振動要素は、毛引抜き組立体に隣接して配置されるのが良く、毛引抜き組立体に近づいたりそれから遠ざかるように作動するのが良い。振動要素は、少なくとも、毛引抜き組立体の幅にわたって延びている。
【００１３】
上述したように、毛引抜き組立体は、２列に配置したディスク組立体を有しているのが良く、振動要素は、ディスク組立体の列の間に配置されるのが良い。毛引抜き組立体及び振動組立体は、駆動部組立体によって動力が供給されるのが良い。
【００１４】
本発明をより完全に理解するために、添付図面と関連した以下の詳細な説明を参照されたい。
【００１５】
〔好ましい実施形態の詳細な説明〕
図１〜１２は、本発明による脱毛装置１０の好ましい実施形態を示している。図１〜１２に示すように、脱毛装置１０は、好ましくは、毛引抜き組立体１４（図１及び図２）と、振動組立体６０３（図９）と、駆動部組立体２１６、２０２〜２０７（図４〜６）と、ハウジング１７（図３）とを含んでいる。
【００１６】
図１及び図２に示すように、以下に説明するいくつかの構成要素を有する毛引抜き組立体１４は、好ましくは、複数のディスク組立体５００を含んでいる。ディスク組立体５００の好ましい実施形態を、図７〜９に更に詳細に示す。図７に示すように、各ディスク組立体５００は、好ましくは、３つの主要素、即ち、１つの内側ディスク組立体３０１と２つの外側ディスク２１２とを含んでいる。各内側ディスク組立体３０１は、ディスクキャリア３０２と、挿入ディスク５０１とを含んでいる。各ディスク・キャリア３０２は、Ｕ字形部材３０５と、対向ピンチャ（ｐｉｎｃｈｅｒ）３０６と、係合突起部３０３と、係合凹部３０４とを含んでいる。挿入ディスク５０１及び外側ディスク２１２の各々は、半径方向に延びる３つのアームを含み、これらのアームは、約１２０度の間隔を隔てた向きに配置されている。挿入ディスク５０１のアームは、平らな周囲部分５０２で終っており、外側ディスク２１２のアームは、平らな周囲部分４０２で終わっている。
【００１７】
ディスクキャリア３０２のＵ字形部材３０５は、外側ディスク２１２に回転運動を与える。加えて、Ｕ字形部材３０５は、対向ピンチャ３０６のためのプラットフォームとして役立ち、図９でわかるように、外側ディスク２１２が内側ディスク組立体３０１の上に取り付けられているとき、対向ピンチャ３０６を外側ディスク２１２の半径方向に延びるアーム４０１の平面よりも高くする。対向ピンチャ３０６は、以下に更に詳しく説明するように、毛用のトラップを形成するために、隣接したディスク組立体５００の平らな周囲部分４０２に圧力を及ぼす。後で更に詳しく説明するように、係合突起部３０３及び係合凹部３０４は、隣接したディスク組立体５００を相互に連結する。
【００１８】
図７に示すように、各外側ディスク２１２の中央部分は、好ましくは、ほぼ円形の開口を含み、図９に示すように、この開口は、各外側ディスク２１２が内側ディスク組立体３０１の上に取付けられるような寸法、形状になっている。各ディスク組立体５００の構成要素２１２、３０３の形態（即ち、寸法及び公差）は、これらの構成要素が相互にぴったりと嵌合し、装置１０の作動中、係合したままであるように設計されている（図１参照）。
【００１９】
外側ディスク２１２が内側ディスク組立体３０１に取付けられているとき、外側ディスク２１２の平らな周囲部分４０２は、内側ディスク組立体３０１の平らな周囲部分５０２と整合し、その結果、図９に示すように、平らな周囲部分４０２がそれと対応する平らな周囲部分５０２に押付けられているとき、平らな周囲部分５０２とそれと隣接した平らな周囲部分４０２との間に、毛を把持して保持することができる捕捉部、即ち、トラップが形成される。
【００２０】
変形実施形態では、ディスク組立体５００が、上述した３つの構成要素２１２、３０１、２１２のすべての要素を含む１つまたは２つの一体部品を含んでいても良いことを理解すべきである。加えて、ドレフ（Ｄｏｌｅｖ）に付与された特許第５，２８１，２３３号に記載されているディスク組立体を含む任意の毛引抜きディスク組立体を使用しても良いことに注目すべきである。従って、ドレフに付与された特許に記載されているディスク組立体をここに援用する。
【００２１】
図４〜６に示すように、複数のディスク組立体５００に加えて、毛引抜き組立体１４は、好ましくは、軸２１９、軸受２１０、軸受支持体２０９及びディスク駆動歯車２２０を含んでいる。
【００２２】
軸２１９は、ディスク組立体５００を取付けるために湾曲していることが好ましい。湾曲した軸２１９にディスク組立体５００を取付けることにより、以下に更に詳しく説明するように、ディスク組立体５００が毛用のトラップを形成することを可能にする。軸２１９は、種々の剛性又は可撓性の材料を含む任意適切な材料で作ることができる。しかしながら、可撓性材料で作った湾曲した軸については、適切な支持体が設けられなければならない。軸受２１０及び軸受支持体２０９は、ディスク駆動歯車２２０からディスク組立体５００に回転力を伝えると共に、ディスク組立体５００の滑らかな回転を確保する。ディスク駆動歯車２２０は、軸受２１０及び軸受支持体２０９を介して回転運動をディスク組立体５００に与える。
【００２３】
図４〜６に示す好ましい実施形態では、各ディスク組立体５００は、軸２１９に回転自在に取付けられ、また、各ディスク組立体５００は、それと隣接したディスク組立体５００に係合突起部３０３及び係合凹部３０４を介して係合する。特に、１つのディスク組立体５００の各係合突起部３０３は、それと隣接したディスク組立体５００の係合凹部３０４に歯車式に挿入される。ディスク組立体５００の係合の結果、各ディスク組立体５００は、それと隣接したディスク組立体５００から６０度だけ角度方向にオフセットされ、その結果、ディスク組立体５００の平らな周囲部分４０２は、それと隣接したディスク組立体５００の対向ピンチャ３０６と整合する。更に、互いに係合したディスク組立体５００は、互いに回転方向に固定され、同期回転するようになっている。
【００２４】
軸受２１０及び軸受支持体２０９が、それぞれ、ディスク組立体５００の各列の各端部とディスク駆動歯車２２０との間に配置され、回転速度をディスク駆動歯車２２０から毛引抜き組立体１４に伝えると共に、ディスク組立体５００の滑らかで安定した回転を容易にする。ディスク駆動歯車２２０は、毛引抜き組立体１４に回転運動を与える。
【００２５】
好ましくは、毛との接触を意図したディスク組立体５００の部分を、特に毛を引き抜くのに効果的である、ステンレス鋼等の金属材料で作り、湾曲した軸２１９と接触するディスク組立体５００の部分を、アセタール・プラスチック等のプラスチックで作り、ディスク組立体５００の滑らかな回転を容易に行えるようにするとよい。変形例として、これらの構成要素をこの技術分野で知られている他の適切な材料で作ってもよい。
【００２６】
図２及び図４は、ディスク組立体の各列に６つのディスク組立体５００を含む好ましい実施形態を示しているが、変形の実施形態では、任意の数のディスク組立体５００が各列に含まれていても良いことに注目すべきである。加えて、使用される特定のディスク組立体を、毛を最も良く捕らえる傾斜角度で取付ける必要がない場合には、軸２１９が湾曲している必要がないことも注目すべきである。
【００２７】
図１０〜１２に示す振動組立体６０３の好ましい実施形態を参照すれば、振動組立体６０３は、振動要素２１７と、振動組立体歯車２０８と、偏心シリンダ６０１とを含んでいる。振動要素２１７は、偏心シリンダ６０１に回転自在に取付けられ、この偏心シリンダ６０１は、振動組立体歯車２０８に固定されている。振動要素２１７は、あらゆる種類の力及び振動歯車２０８のひっかき作用に耐えることができる任意の硬くて剛性のある材料で作られるのが良い。更に、ユーザの皮膚と接触する振動要素２１７の表面は、種々の所望のマッサージ感覚を与えるために滑らかであって肌触りが良いのが好ましい。振動要素２１７を偏心シリンダ６０１に取付けることにより、振動組立体歯車２０８は、それが回転するとき、振動要素２１７に運動を与えることを可能にする。これにより、以下に更に詳しく説明するように、本発明のマッサージ機能を与える振動を作り出す。
【００２８】
図４及び図６に示す駆動部組立体の好ましい実施形態を参照すれば、駆動部組立体は、モータ２１６と、モータ軸２０２と、モータ軸歯車２０３と、減速歯車２０４と、減速歯車軸２０５と、伝動歯車２０６と、伝動歯車軸２０７とを含んでいる。モータ２１６は、減速歯車システム２０２〜２０７を介して毛引抜き組立体１４（図１）並びに振動組立体６０３（図９）の両方を駆動し、回転運動を減速歯車システム２０２〜２０７に与えることができる任意タイプのモータであるのが良い。モータ２１６は、電池又はＤＣアダプタを経た家庭用電源等の任意の便利で入手可能な電源によって作動されるのが良い。モータ軸歯車２０３、減速歯車２０４及び伝動歯車２０６はそれぞれ、モータ軸２０２、減速歯車軸２０５及び伝動歯車軸２０７に取付けられている。モータ軸歯車２０３は、減速歯車２０４と係合し、この減速歯車２０４は、伝動歯車２０６と係合して、モータ２１６によって与えられる回転速度を毛引抜き組立体１４及び振動組立体６０３を駆動するのに適切な回転速度に変換する減速歯車システムを形成する。
【００２９】
図１〜６に示すハウジング１７の好ましい実施形態を参照すれば、ハウジング１７は、好ましくは、２つの協働するハウジング半部１１、１３（図３参照）と、ブラケット２０１、２１３（図２、図４及び図６参照）と、モータ・ハウジング２１８（図４及び図６参照）と、電源スイッチ１５（図１及び図３参照）とを含んでいる。ハウジング半部１１、１３は、片手で容易かつ快適に把持できるように人間工学に基づいて形成され、プラスチックで作られることが好ましいが、別の材料を使用して作られても良い。ブラケット２０１、２１３は、毛引抜き組立体１４（図１参照）及び振動組立体６０３（図１０参照）は、ハウジング１７内の所定位置に保持されている。同様に、モータハウジング２１８は、モータ２１６及び減速歯車システム２０２〜２０７が適切な動作を行うように、ハウジング１７内の所定位置に保持されている。
【００３０】
作動の際、図４に示すような好ましい実施形態の脱毛装置１０をオン／オフスイッチ１５（図１及び図３参照）を介して作動させると、モータ２１６が作動し、回転力をモータ軸２０２に与える。モータ軸２０２は、その回転力をモータ軸歯車２０３に与える。次いで、モータ軸歯車２０３が減速歯車２０４を駆動し、減速歯車２０４が伝動歯車２０６を駆動する。次いで、伝動歯車２０６が回転力を振動歯車２０８に与える。次いで、振動歯車２０８がディスク駆動装置歯車２２０を駆動する。
【００３１】
ディスク駆動装置歯車２２０が回転しているとき、ディスク駆動装置歯車２２０は、軸受２１０及び軸受支持体２０９を駆動する。軸受２１０及び軸受支持体２０９は、ディスク組立体５００（図７〜９参照）を駆動する。上述したように、２列のディスク組立体５００が湾曲した軸２１９（図３、図５及び図６参照）に取付けられている。この湾曲により、ディスク組立体５００が、脱毛装置１０の頂部近くの互いの間に小さな部屋を有するようになり、実際には、ディスク組立体５００は、脱毛装置１０の頂部のところで相互に押付けられる。脱毛装置１０の頂部におけるディスク組立体の押付けにより、毛用のトラップを形成する。特に、ディスク組立体５００が回転しているとき、ディスク組立体５００は脱毛装置１０の頂部において互いに押付けられ、即ち、互いに押付けあう。その結果、図７〜９に示すように、Ｕ字形部材３０５に取付けられた対向ピンチャ３０６が、それと隣接したディスク組立体５００の平らな周囲部分４０２をそれに対応する平らな周囲部分５０２に押付ける。平らな周囲部分４０２をそれに対応する周囲部分５０２に押付けることにより、図９に示し且つ上述したように、毛用のトラップを形成する。
【００３２】
毛引抜き組立体１４がディスク駆動装置歯車２２０によって駆動されている間、振動歯車２０８は、振動組立体６０３を駆動する。振動歯車２０８が回転しているとき、本発明のマッサージ機能を発生させるために、偏心シリンダ６０１は、振動要素２１７を急速に上昇及び下降させる。特に、振動歯車２０８が図１１に示す位置まで回転しているとき、振動ビーム２１７は、ディスク組立体５００に近い低位置に移動する。振動歯車２０８が図１２に示す位置まで回転しているとき、振動ビーム２１７は、ディスク組立体５００から離れた高位置に移動する。従って、振動歯車２０８が連続的に回転しているとき、振動ビーム２１７は、ディスク組立体５００に迅速に近づいたりそれから離れたりして、脱毛域をマッサージする振動を生じさせる。
【００３３】
上述したように、脱毛装置１０のディスク組立体５００は、同じ方向、即ち、すべてが時計回り又は反時計周りの何れかに回転する。変形実施形態では、ディスク組立体５００が互いに反対方向に回転できるように、脱毛装置が変更されていても良い。このような変形実施形態は、図１３及び図１４に示す歯車システムの変形形態を使用する。図１３及び図１４に示すように、脱毛装置２０の変形歯車システムは、追加の歯車２２１と、より小さい振動歯車３０８と、追加歯車２２１に順応させた偏心シリンダ７０１とを含んでいる。
【００３４】
作動の際、伝動歯車２０６が追加の歯車２２１を駆動する。追加の歯車２２１は、一方のディスク駆動装置歯車２２０と振動歯車３０８を駆動する。次いで、振動歯車３０８は、他方のディスク駆動装置歯車２２０及び振動ビーム２１７を駆動する。別体の歯車（追加の歯車２２１及び振動歯車３０８）を使用して、各ディスク駆動歯車２２０を別々に駆動することによって、ディスク駆動歯車２２０は、互いに反対方向に回転することが可能であり、その結果、一方の列に取付けられたディスク組立体５００が、別の列に取付けられたディスク組立体５００に対して反対の方向に回転することになる。好ましくは、ディスク組立体５００の各列は、除去された毛が脱毛装置２０から離れるように差し向けられ且つ脱毛域における皮膚が引き伸ばされるように、互いから離れる方向に回転し、その結果、脱毛に伴う不快感を減らす。
【００３５】
上述した両方の脱毛装置の実施形態１０、２０並びにそれと関連した米国特許第５，９７６，１５７号に記載されている脱毛装置について、脱毛域を照明する照明機構が追加されることが良く、それにより、ユーザが脱毛の進行を見るのを容易にする。照明機構８００の好ましい実施形態を図１５〜１８に示す。
【００３６】
照明機構８００は、好ましくは、ディスク組立体５００の近くに設置され（例えば、図１及び図２参照）、その結果、照明機構８００が脱毛域に近くなる。好ましくは、照明機構８００のための光源８０２は、白熱電球または発光ダイオードであり、好ましくは、脱毛域に差し向けられる光を最大にする角度の向きに配置される。加えて、照明機構８００は、光源８０２に電力を供給する電池を含んでいるのが良い。電池は、照明機構８００に組み込まれた電池ハウジング８０４に収容されるのが良い。別の実施形態では、照明機構８００は、脱毛装置自体から電力が供給されても良い。その結果、照明機構８００に電力を供給するためだけに別体の電池をもうけることが不要になる。照明機構８００はまた、脱毛装置に取り付けたりそれから取り外したりすることができる自立ユニットであっても良い。
【００３７】
開示した実施形態が本発明の範囲から逸脱することなく当業者によって変更されても良いことに注目すべきである。例えば、ハウジング１７に対する毛引抜き組立体１４の向きは、使用効率、便利さを最適にする任意の変形形態に変更しても良い。適当な別の変形形態の例は、上述のドレフに付与された特許に記載されており、それらわここに援用する。更に、脱毛装置１０、２０のディスク組立体５００の列数は任意である。
【００３８】
特別な実施形態に関連して本発明を説明してきたが、当業者にとって、前記の説明に照らした種々の置換、変更、修正、変形は自明である。本発明の範囲は、特許請求の範囲によってのみ定まる。
【図面の簡単な説明】
【図１】
本発明による脱毛装置の正面図である。
【図２】
図１の脱毛装置の平面図である。
【図３】
図１の脱毛装置の側面図である。
【図４】
多数のディスク組立体を示す、図３の線Ａ−Ａにおける図１の脱毛装置の部分的な正面断面図である。
【図５】
図４の脱毛装置の線２−２における部分的な側面断面図である。
【図６】
多数のディスク組立体を示す、図５の線Ｂ−Ｂにおける図１の脱毛装置の部分的な正面断面図である。
【図７】
本発明の外側ディスク、内側ディスク組立体の分解図である。
【図８】
図１の装置において使用される図６のディスク組立体の平面図である。
【図９】
図７のディスク組立体の斜視図である。
【図１０】
図１の脱毛装置における振動装置の斜視図である。
【図１１】
振動要素を備えた振動組立体を低位置で示す、図４の線１−１における側面断面図である。
【図１２】
振動要素を有する振動組立体を高位置で示す、図１０と同様の側面断面図である。
【図１３】
互いに反対方向に回転するディスク組立体を備えた変形実施形態を示す、図１１と同様の図である。
【図１４】
変形実施形態の、図１２と同様の図である。
【図１５】
脱毛装置に取付けた照明機構の正面図である。
【図１６】
脱毛装置に取付けた照明機構の側面図である。
【図１７】
脱毛装置に取付けた照明機構の斜視図である。
【図１８】
脱毛装置に取付けた照明機構の平面図である。
【国際公開パンフレット】
2004516125.tif 000003
2004516125.tif 000004
2004516125.tif 000005
2004516125.tif 000006
2004516125.tif 000007
2004516125.tif 000008
2004516125.tif 000009
2004516125.tif 000010
2004516125.tif 000011
2004516125.tif 000012
2004516125.tif 000013
2004516125.tif 000014
2004516125.tif 000015
2004516125.tif 000016
2004516125.tif 000017
2004516125.tif 000018
2004516125.tif 000019
2004516125.tif 000020
2004516125.tif 000021
2004516125.tif 000022
2004516125.tif 000023
2004516125.tif 000024
2004516125.tif 000025
2004516125.tif 000026
2004516125.tif 000027
2004516125.tif 000028
2004516125.tif 000029
【国際調査報告】
2004516125.tif 000030
2004516125.tif 000031
2004516125.tif 000032